(57)【要約】      （修正有）【課題】端子金具間における微摺動摩耗を抑制する。【解決手段】電線Ｗの端末に接続された雌型端子金具２０がハウジング３０に形成されたキャビティ３２に後方から収容された雌側コネクタ１０であって、前記雌型端子金具２０は、雄型端子金具Ｔと電気的に接続される接続筒部２１と、前記接続筒部２１の後方に配されて前記電線Ｗを圧着固定する電線固定部２２とを備えて構成されており、前記電線固定部２２の後方には、前記キャビティ３２の内壁に設けられた被係止部３６に左右方向に当接することで、前記キャビティ３２内において前記雌型端子金具２０が左右方向にガタつくことを規制するガタ規制部２７が形成されているところに特徴を有する。【選択図】図１
2013258067.tif 000002
【特許請求の範囲】
【請求項１】
電線の端末に接続された端子金具がハウジングに形成されたキャビティに後方から収容されたコネクタであって、
前記端子金具は、相手側端子金具と電気的に接続される接続部と、
前記接続部の後方に配されて前記電線を圧着固定する電線固定部とを備えて構成されており、
前記電線固定部の後方には、前記キャビティの内壁に設けられた被係止部に幅方向に当接することで、前記キャビティ内において前記端子金具が幅方向にガタつくことを規制するガタ規制部が形成されているコネクタ。
【請求項２】
前記ガタ規制部は、前記端子金具の後端部に形成されている請求項１記載のコネクタ。
【請求項３】
前記ガタ規制部は、前記キャビティの内壁に向かって突出して形成されており、
前記被係止部は、前記ガタ規制部を後方から収容可能に前記キャビティの内壁に凹んで形成されている請求項１又は請求項２記載のコネクタ。
【請求項４】
前記被係止部の後方には、前記ハウジングの後端部に設けられた電線引き出し口から前記被係止部まで前記ガタ規制部が通過可能な挿通路が形成されている請求項３記載のコネクタ。
【請求項５】
前記ガタ規制部は、前記電線固定部の後端から後方に延びる金属片を前記キャビティの内壁に向かって屈曲させることで形成されている請求項３または請求項４記載のコネクタ。
【請求項６】
前記ガタ規制部は、前記電線固定部の後端から後方に延びて形成されている請求項３または請求項４記載のコネクタ。
【請求項７】
前記ガタ規制部は、キャリアと前記端子金具とを連結する連結片に設けられている請求項１乃至請求項６の何れか一項に記載のコネクタ。
【発明の詳細な説明】
【技術分野】
【０００１】
本発明は、コネクタに関する。
【背景技術】
【０００２】
例えば、電線の端末に装着されるコネクタとして、下記特許文献１に記載のものが知られている。このコネクタは、電線の端末に接続される端子金具と、この端子金具を後方から収容するキャビティが形成されたハウジングとを備えて構成されている。キャビティ内には、弾性変形可能な樹脂ランスが設けられており、キャビティ内に端子金具が後方から挿入されると、端子金具が後方から樹脂ランスに係止されて抜止されるようになっている。
【先行技術文献】
【特許文献】
【０００３】
【特許文献１】特開２００４−３９５５９号公報
【発明の概要】
【発明が解決しようとする課題】
【０００４】
ところで、端子金具はキャビティ内に後方から挿入されるものであるから、端子金具の挿入動作の円滑化を図るため、キャビティの内壁と端子金具との間には僅かなクリアランスが形成されている。このため、上記のコネクタが車両に配索された電線の端末に装着される場合、コネクタが相手方コネクタと嵌合した後においても、車両の振動に伴って電線が幅方向に振られると、端子金具が両端子金具間の接続部分を中心にキャビティ内において幅方向にガタつき、その結果、端子金具間の接続部分が摺動して磨耗してしまう。
【０００５】
本発明は上記のような事情に基づいて完成されたものであって、端子金具間の接続部分における摺動摩耗を抑制することを目的とする。
【課題を解決するための手段】
【０００６】
上記の目的を達成するための手段として本発明は、電線の端末に接続された端子金具がハウジングに形成されたキャビティに後方から収容されたコネクタであって、前記端子金具は、相手側端子金具と電気的に接続される接続部と、前記接続部の後方に配されて前記電線を圧着固定する電線固定部とを備えて構成されており、前記電線固定部の後方には、前記キャビティの内壁に設けられた被係止部に幅方向に当接することで、前記キャビティ内において前記端子金具が幅方向にガタつくことを規制するガタ規制部が形成されているところに特徴を有する。
【０００７】
このような構成のコネクタによると、電線固定部よりも後方の位置において、端子金具が幅方向にガタつくことを規制することができるので、電線固定部よりも前方の位置や電線固定部の位置においてガタつきを規制する場合に比べて、端子金具と相手側端子とが接続される接続部分を中心に摺動が生じることを抑制し易くすることができる。
また、例えば、電線に圧着固定する電線固定部にガタ規制部を設ける場合、ガタ規制部の位置や形状が不安定となり、ガタ規制部を被係止部に対して正しく当接させることができなくなる虞がある。ところが、上記の構成によると、電線固定部の後方に電線固定部とは独立してガタ規制部を形成しているので、電線固定部にガタ規制部を設ける場合と異なり、ガタ規制部の位置や形状が不安定になることを防止することができる。
【０００８】
本発明の実施の態様として、以下の構成が好ましい。
前記ガタ規制部は、前記端子金具の後端部に形成されていることが好ましい。
このような構成によると、端子金具と相手側端子とが接続される部分から最も離れた位置において端子金具が幅方向にガタつくことを規制することができることから、端子金具と相手側端子とが接続される接続部分を中心に摺動が生じることをさらに抑制することができる。
【０００９】
前記ガタ規制部は、前記キャビティの内壁に向かって突出して形成されており、前記被係止部は、前記ガタ規制部を後方から収容可能に前記キャビティの内壁に凹んで形成されている構成としてもよい。
このような構成によると、キャビティの内壁に凹んで形成された被係止部にガタ規制部を収容することで、ガタ規制部を被係止部の内面に対して幅方向に当接させることができる。これにより、端子金具と相手側端子とが接続される接続部分を中心に摺動が生じることを抑制することができる。
また、キャビティの内壁に凹みを形成することで、ガタ規制部を収容する被係止部を形成しているので、従来のコネクタに比べて、ハウジングが大型化することを抑制することができる。
【００１０】
前記被係止部の後方には、前記ハウジングの後端部に設けられた電線引き出し口から前記被係止部まで前記ガタ規制部が通過可能な挿通路が形成されている構成としてもよい。
このような構成によると、ガタ規制部を、挿通路を通して被係止部に収容することができるので、端子挿入時の挿入抵抗が上がることを防止すると共に、ハウジングおよびガタ規制部が損傷することを抑制することができる。
【００１１】
前記ガタ規制部は、前記電線固定部の後端から後方に延びる金属片を前記キャビティの内壁に向かって屈曲させることで形成されている構成としてもよい。
このような構成によると、ガタ規制部を非常に容易に形成することができる。これにより、ガタ規制部を形成することに起因してコネクタの製造コストが高くなることを抑制することができる。
【００１２】
前記ガタ規制部は、前記電線固定部の後端から後方に延びて形成されている構成としてもよい。
このような構成によると、ガタ規制部が前後方向に延びた形状に形成されているので、金属片をキャビティの内壁に向かって略直交に屈曲させたガタ規制部に比べて、ガタ規制部と被係止部とが幅方向に当接する領域を大きくすることができる。これにより、端子金具が幅方向にガタつくことをさらに規制することができる。
【００１３】
前記ガタ規制部は、キャリアと前記端子金具とを連結する連結片に設けられている構成としてもよい。
このような構成によると、キャリアと端子金具とを連結していた連結片の一部を利用してガタ規制部を形成しているので、連結片とは異なる位置にガタ規制部を別途設ける場合に比べて、材料取りの際の歩留まりを向上させることができる。
【発明の効果】
【００１４】
本発明によれば、端子金具間の接続部分における摺動摩耗を抑制することができる。
【図面の簡単な説明】
【００１５】
【図１】実施形態１にかかるコネクタの背面図
【図２】図１のＩＩ−ＩＩ線断面図
【図３】実施形態１にかかるハウジングの背面図
【図４】実施形態２にかかる電線の端末に接続された雌型端子金具の一部切欠断面図
【図５】実施形態２にかかる電線の端末に接続された雌型端子金具の背面図
【図６】図４のＶＩ−ＶＩ線の要部拡大断面図
【図７】実施形態３にかかる電線の端末に接続された雌型端子金具の一部切欠断面図
【図８】実施形態３にかかる電線の端末に接続された雌型端子金具の背面図
【図９】実施形態３にかかる雌型端子金具の要部拡大平面図
【発明を実施するための形態】
【００１６】
＜実施形態１＞
本発明の実施形態１について図１乃至図３を参照して説明する。
本実施形態は、車両に搭載される大電流回路用の雌側コネクタ１０を例示している。雌側コネクタ（「コネクタ」の一例）１０は、図示しない雄側コネクタと嵌合可能に形成されており、図１及び図２に示すように、電線Ｗの端末に接続された雌型端子金具（「端子金具」の一例）２０と、この雌型端子金具２０を内部に収容するハウジング３０とを備えて構成されている。
【００１７】
雌型端子金具２０は、導電性に優れた金属板材にプレス加工を施すことで形成されている。また、雌型端子金具２０は、雄側コネクタに設けられた雄型端子金具（「相手側端子金具」の一例）Ｔと電気的に接続可能な接続筒部（「接続部」の一例）２１と、接続筒部２１の後方に形成された電線固定部２２とを備えて構成されている。
【００１８】
接続筒部２１は、図２に示すように、前後方向に開口した左右方向に横長な角筒状に形成されており、接続筒部２１の前端開口からは雄型端子金具Ｔに設けられたタブ部Ｔ１が挿入可能とされている。接続筒部２１の内部には、上下方向に弾性変形可能な弾性接触片２３が形成されている。弾性接触片２３は、接続筒部２１における前端開口下側縁から斜め上後方に延びて形成されており、弾性接触片２３の上端部には、タブ部Ｔ１と電気的に接続可能な接点部２４が、例えば、上側に向かって叩き出し加工など施すことで上方に突出して形成されている。
【００１９】
そして、雄型端子金具Ｔのタブ部Ｔ１が接続筒部２１の前端開口から接続筒部２１内に挿入されると、弾性接触片２３の接点部２４と接続筒部２１の天井壁２１Ａとの間でタブ部Ｔ１を上下方向に弾性的に挟み込み、タブ部Ｔ１と弾性接触片２３の接点部２４とが電気的に接続されることで、雄型端子金具Ｔと雌型端子金具２０とが電気的に接続されるようになっている。
【００２０】
電線固定部２２は、図２および図４に示すように、電線Ｗの端末に圧着固定されるようになっており、電線Ｗの芯線Ｗ１をかしめ圧着するワイヤバレル２５と、電線Ｗの被覆Ｗ２をかしめ圧着するインシュレーションバレル２６とを備えて構成されている。
ワイヤバレル２５は、オープンバレル形式であって、電線Ｗの端末における被覆Ｗ２を皮剥ぎすることで露出された芯線Ｗ１を左右両側から抱き込むようにしてかしめ圧着されている。
インシュレーションバレル２６は、ワイヤバレル２５と同様、オープンバレル形式であって、電線Ｗの被覆Ｗ２を左右両側から抱き込むようにしてかしめ圧着されている。
【００２１】
ハウジング３０は、合成樹脂製であって、前後方向に貫通したキャビティ３２を有する端子収容部３１と、端子収容部３１の上方に設けられたロック部３３とを備えて構成されている。
【００２２】
キャビティ３２内には、雌型端子金具２０が後方から挿入可能とされており、キャビティ３２の前側部分が雌型端子金具２０の接続筒部２１を収容する部分とされている。また、キャビティ３２は、接続筒部２１を収容する部分から後方に向かうほど拡径した形態に形成されており、後方に向かうほど、雌型端子金具２０とキャビティ３２の内壁との間の隙間Ｓが大きくなっている。これにより、キャビティ３２内に雌型端子金具２０を挿入する動作を円滑に行うことができるようになっている。
【００２３】
キャビティ３２の底壁３２Ａにおける前側には、上下方向に弾性変形可能な樹脂ランス３４が形成されている。樹脂ランス３４は、前斜め上方に延びる片持ち状に形成されており、雌型端子金具２０の接続筒部２１における底板に設けられたランスホール２１Ｂに係合可能とされている。そして、キャビティ３２内に雌型端子金具２０が正規の位置まで挿入されると、ランスホール２１Ｂに樹脂ランス３４が嵌り込んで、雌型端子金具２０がキャビティ３２内に抜止されるようになっている。
【００２４】
また、キャビティ３２の底壁３２Ａには、ハウジング３０の下面からキャビティ３２の内部空間に連通するリテーナ装着孔３５が設けられている。このリテーナ装着孔３５には、図示しないリテーナが装着可能とされており、雌型端子金具２０がキャビティ３２内に正規に挿入された状態で、リテーナ装着孔３５にリテーナが装着されることにより、雌型端子金具２０が樹脂ランス３４とリテーナとによって二重に係止されるようになっている。
【００２５】
ロック部３３は、端子収容部３１の上方において、上下方向に弾性変形可能に形成されている。また、ロック部３３は、雄側コネクタに形成された図示しないロックリブと係止可能とされており、雌側コネクタ１０と雄側コネクタとが嵌合されると、ロック部３３の後方に設けられた収容空間Ｓ１内に雄側コネクタのロックリブが挿入され、ロックリブとロック部３３とが弾性的係止することによって雌側コネクタ１０と雄側コネクタとが嵌合状態にロックされるようになっている。
【００２６】
さて、雌型端子金具２０のインシュレーションバレル（電線固定部２２）２６の後方には、図１および図２に示すように、キャビティ３２の底壁に向かって突出するガタ規制部２７が形成されている。
ガタ規制部２７は、インシュレーションバレル２６の底板における後端から僅かに後方に延びた後、下方に向かって略直交に屈曲した金属片とされており、その厚さ寸法は、雌型端子金具２０を形成する金属板材の板厚寸法とほぼ同等とされている。
【００２７】
一方、キャビティ３２の底壁３２Ａには、雌型端子金具２０がキャビティ３２内の正規の位置まで挿入された際に、ガタ規制部２７を収容する被係止部３６が形成されている。
被係止部３６は、キャビティ３２の底壁３２Ａに下方に凹んで形成されており、キャビティ３２の底壁３２Ａの下方に形成された肉抜き部３８まで貫通した形態とされている。そして、被係止部３６にガタ規制部２７が収容されると、ガタ規制部２７の前面２７Ａが被係止部３６の前面３６Ａに沿って配されると共に、ガタ規制部２７の左右両側面２７Ｂ，２７Ｂが被係止部３６の左右両側面３６Ｂ，３６Ｂに沿って配されるように設定されている。
【００２８】
また、被係止部３６の後方には、キャビティ３２内に雌型端子金具２０が挿入される際に、ガタ規制部２７が挿通される挿通路３７が形成されている。この双通路は、キャビティ３２の後端開口である電線引き出し口３２Ｂから被係止部３６まで直線状に切り欠かれた形態とされ、挿通路３７の左右方向の幅寸法は、被係止部３６の左右両側面３６Ｂ，３６Ｂの間の距離と同じとされている。つまり、挿通路３７を通してガタ規制部２７を被係止部３６に収容することで、ガタ規制部２７がキャビティ３２の底壁３２Ａと摺動することを防ぎ、雌型端子金具２０の挿入抵抗が上がることを抑制するとともに、キャビティ３２の底壁３２Ａやガタ規制部２７が損傷することを抑制することができるようになっている。
【００２９】
本実施形態の雌側コネクタ１０は、以上のような構成であって、続いて、ハウジング３０に電線Ｗの端末に接続された雌型端子金具２０を組み付ける方法を簡単に説明すると共に、雌側コネクタ１０の作用および効果について説明する。
【００３０】
まず、ハウジング３０の後方に電線Ｗの端末に接続された雌型端子金具２０を配置し、キャビティ３２内に雌型端子金具２０を後方から挿入する。
雌型端子金具２０の前端がキャビティ３２の前側部分まで挿入されると、接続筒部２１によって樹脂ランス３４が後方から押圧され、樹脂ランス３４が下方に弾性変形することで、樹脂ランス３４に接続筒部２１が乗り上げる。また、樹脂ランス３４が弾性変形し始める頃に、ガタ規制部２７が挿通路３７内に後方から進入する。
【００３１】
さらにそのまま、雌型端子金具２０を挿入し、雌型端子金具２０がキャビティ３２内において正規の位置まで挿入されると、ガタ規制部２７が被係止部３６に収容されて、ガタ規制部２７の前面２７Ａが被係止部３６の前面３６Ａに沿うように配され、ガタ規制部２７の左右両側面２７Ｂ，２７Ｂが被係止部３６の左右両側面３６Ｂ，３６Ｂに沿うように配される。また、ランスホール２１Ｂ内に樹脂ランス３４が嵌まり込んで雌型端子金具２０が樹脂ランス３４によって後方に抜止される。
【００３２】
最後に、リテーナを下方からリテーナ装着孔３５に挿入することで、雌型端子金具２０が樹脂ランス３４とリテーナとによって二重に係止され、電線引き出し口３２Ｂから後方に電線Ｗが引き出された雌側コネクタ１０が完成する。
【００３３】
そして、このようにして組み付けられた雌側コネクタ１０が、図示しない雄側コネクタと嵌合されると、雄側コネクタに設けられた雄型端子金具Ｔのタブ部Ｔ１が雌型端子金具２０の接続筒部２１内における弾性接触片２３と接続筒部２１の天井壁２１Ａとの間で弾性的に挟み込まれて、雌型端子金具２０と雄型端子金具Ｔとが電気的に接続される。また、雌側コネクタ１０と雄側コネクタとは、ロック部３３とロックリブとが係止することで正規の嵌合状態にロックされる。
【００３４】
ところで、この状態において、雌側コネクタ１０から引き出された電線Ｗが車両の振動などによって左右方向に振られると、弾性接触片２３の接点部２４と雄型端子金具Ｔのタブ部Ｔ１とが接触する接触部分を中心として、雌型端子金具２０を左右方向にガタつかせる力が作用する。ところが、本実施形態によると、ガタ規制部２７の左右両側面２７Ｂ，２７Ｂと被係止部３６の左右両側面３６Ｂ，３６Ｂとが沿って配されていることから、雌型端子金具２０を左右方向にガタつかせる力が作用すると、ガタ規制部２７の左右両側面２７Ｂ，２７Ｂと被係止部３６の左右両側面３６Ｂ，３６Ｂとを左右方向に当接し、キャビティ３２内において雌型端子金具２０が左右方向にガタつくことを抑制することができる。これにより、弾性接触片２３の接点部２４とタブ部Ｔ１とが接続される接続部分を中心に雌型端子金具２０がキャビティ３２内においてガタつくことを抑制し、弾性接触片２３の接点部２４と雄型端子金具Ｔのタブ部Ｔ１との接触部分において摺動摩耗が生じることを抑制することができる。
【００３５】
また、本実施形態によると、雌型端子金具２０の後端部において雌型端子金具２０のガタつきを規制していることから、雌型端子金具２０と雄型端子金具Ｔとが接続される部分から最も離れた位置において雌型端子金具２０が左右方向にガタつくことを規制することができる。これにより、電線固定部２２よりも前方の位置や電線固定部２２の位置においてガタつきを規制する場合に比べて、弾性接触片２３の接点部２４とタブ部Ｔ１とが接続される接続部分を中心に雌型端子金具２０がキャビティ３２内においてガタつくこと抑制しやすくすることができる。
【００３６】
さらに、本実施形態では、電線固定部２２の後方に電線固定部２２とは独立してガタ規制部２７を形成しているので、電線に圧着固定する電線固定部にガタ規制部を設ける場合に比べて、ガタ規制部２７の位置や形状が不安定となることを抑制することができる。これにより、雌型端子金具２０を左右方向にガタつかせる力が作用する場合に、ガタ規制部２７の左右両側面２７Ｂ，２７Ｂと被係止部３６の左右両側面３６Ｂ，３６Ｂとを左右方向に確実に当接させることができる。ひいては、弾性接触片２３の接点部２４と雄型端子金具Ｔのタブ部Ｔ１との接触部分で摺動摩耗が生じることを確実に抑制することができる。
【００３７】
以上のように、本実施形態によると、雌型端子金具２０を左右方向にガタつかせる力が作用する場合に、雌型端子金具２０の後端部において、ガタ規制部２７の左右両側面２７Ｂ，２７Ｂと被係止部３６の左右両側面３６Ｂ，３６Ｂとを左右方向に当接させて、ガタ規制部２７が左右方向にガタつくことを規制することができる。つまり、電線Ｗが左右方向に振られることに起因して、雌型端子金具２０が雌型端子金具２０と雄型端子金具Ｔとが互いの接続部分を中心としてキャビティ３２内において左右方向にガタつくことを抑制することができる。これにより、雌型端子金具２０と雄型端子金具Ｔとの接触部分における摺動摩耗を抑制し、両端子金具２０，Ｔ間における接触抵抗の増大を抑制することができる。
【００３８】
また、本実施形態によると、インシュレーションバレル（電線固定部２２）２６の後端から後方に延びる金属片を下方に向かって屈曲させることにより、ガタ規制部２７を非常に容易に形成できることから、ガタ規制部を形成することに起因してコネクタの製造コストが高くなることを抑制することができる。さらに、ガタ規制部２７を収容する被係止部３６をキャビティ３２の底壁３２Ａを凹ませて形成していることから、従来のコネクタに比べて、ハウジング３０が大型化することを抑制することができる。
【００３９】
＜実施形態２＞
次に、本発明の実施形態２について図４乃至図６を参照して説明する。
実施形態２の雌型端子金具１２０は、実施形態１における雌型端子金具２０のガタ規制部２７の形状を変更したものであって、実施形態１と共通する構成、作用、および効果については重複するため、その説明を省略する。また、実施形態１と同じ構成については同一の符号を用いるものとする。
【００４０】
実施形態２の雌型端子金具１２０のガタ規制部１２７は、インシュレーションバレル（電線固定部２２）２６の後端から後方に延びる金属片に叩き出し加工を施すことによって形成されており、金属片の左右方向略中央部が下方に突出した突出部１２８を有する形態をなしている。また、ガタ規制部１２７の突出部１２８は、ガタ規制部１２７の後端から前方に向かって延びて形成されており、その前後方向の長さ寸法は、実施形態１の被係止部３６の前後方向の長さ寸法と挿通路３７の前後方向の長さ寸法とを合わせた寸法よりもやや短い寸法とされている。
【００４１】
すなわち、実施形態２におけるガタ規制部１２７は、前後方向に延びた形態とされているので、金属片を例えば下方や左右方向に向かって略直交に屈曲させたガタ規制部に比べて、ガタ規制部１２７が被係止部３６の左右両側面３６Ｂ，３６Ｂと左右方向に当接する領域を前後方向に大きくすることができる。これにより、雌型端子金具１２０が左右方向にガタつくことをさらに規制することができるようになっている。
【００４２】
＜実施形態３＞
次に、本発明の実施形態３について図７乃至図９を参照して説明する。
実施形態３の雌型端子金具２２０は、実施形態１における雌型端子金具２０の後端部分の形状を変更したものであって、実施形態１と共通する構成、作用、および効果については重複するため、その説明を省略する。また、実施形態１と同じ構成については同一の符号を用いるものとする。
【００４３】
実施形態３の雌型端子金具２２０は、ガタ規制部２７の左右方向両側に前後方向に延びる一対の延出部２２８，２２８が形成されている。
一対の延出部２２８，２２８は、電線Ｗの端末に接続された雌型端子金具２２０を製造する過程において、複数の雌型端子金具２２０とキャリアＣとを連結する連結片Ｃ１を切断することにより形成されており、雌型端子金具２２０をキャリアＣから最終的に切り離す部分とされている。
また、一対の延出部２２８，２２８の間に形成されたガタ規制部２７も、一対の延出部２２８，２２８と同様に、連結片Ｃ１における左右方向略中央部をプレス加工によって打ち抜き成形すると共に、曲げ加工を施すことにより形成されている。
【００４４】
すなわち、本実施形態のガタ規制部２７は、キャリアＣと雌型端子金具２０とを連結していた連結片Ｃ１の一部を利用して形成されている。これにより、連結片Ｃ１とは異なる位置にガタ規制部を別途設ける場合に比べて、金属板材の材料取りの際の歩留まりを向上させることができる。
【００４５】
＜他の実施形態＞
本発明は上記記述及び図面によって説明した実施形態に限定されるものではなく、例えば次のような実施形態も本発明の技術的範囲に含まれる。
（１）上記実施形態では、雌型端子金具２０，１２０，２２０にガタ規制部２７，１２７および被係止部３６を構成したが、本発明はこのような態様に限定されるものではなく、例えば、ガタ規制部および被係止部を雄型端子金具に適用してもよい。
（２）上記実施形態では、ガタ規制部２７，１２７を雌型端子金具２０，１２０，２２０の後端部に構成したが、本発明はこのような態様に限定されるものではなく、例えば、電線固定部よりも後方であって、雌型端子金具の後端部よりも前側の位置にガタ規制部が形成されていてもよい。
（３）上記実施形態では、被係止部３６の後方に挿通路３７が形成された構成としたが、本発明はこのような態様に限定されるものではなく、例えば、被係止部がキャビティの後端まで延びて形成されていてもよい。
【符号の説明】
【００４６】
１０：雌側コネクタ（コネクタ）
２０，１２０，２２０：雌型端子金具（端子金具）
２１：接続筒部（接続部）
２２：電線固定部
２７，１２７：ガタ規制部
３０：ハウジング
３２：キャビティ
３２Ｂ：電線引き出し口
３６：被係止部
３７：挿通路
Ｃ：キャリア
Ｃ１：連結片
Ｔ：雄側端子金具（相手側端子金具）
Ｗ：電線
【図１】
2013258067.tif 000003
【図２】
2013258067.tif 000004
【図３】
2013258067.tif 000005
【図４】
2013258067.tif 000006
【図５】
2013258067.tif 000007
【図６】
2013258067.tif 000008
【図７】
2013258067.tif 000009
【図８】
2013258067.tif 000010
【図９】
2013258067.tif 000011